(57)【特許請求の範囲】
【請求項１】
外周面に深溝型の内輪軌道を有する内輪と、内周面に深溝型の外輪軌道を有する外輪と、これら内輪軌道と外輪軌道との間に転動自在に設けられた複数の玉と、これら複数の玉を転動自在に保持する、合成樹脂製の保持器と、上記内輪と外輪とを電気的に導通させる通電部材とを備えた通電式玉軸受に於いて、この通電部材は弾性を有する金属製の線材を曲げ形成する事により、中間部を略コ字形に形成すると共に、両端部に、上記内輪及び外輪の軸方向に関して同じ方向に折れ曲がって、更にそれぞれの先端部がこれら内輪及び外輪の円周方向に向けて折れ曲がった、１対の係止部を設けたものであり、上記保持器の一部で円周方向に離れた２個所位置に、この保持器の軸方向端面側に通じる入口部と、この入口部の奥端からこの保持器の円周方向に向け折れ曲がった折れ曲がり部とを備えた断面Ｌ字形で、この保持器の軸方向端面及びこの保持器の内外両周面に開口して、上記通電部材の一部を係脱自在な係止切り欠きが、この保持器の直径方向に亙り形成されており、これら両係止切り欠きに上記両係止部を係合した状態で上記通電部材の中間部は、上記内輪の外周面の一部で上記内輪軌道から外れた部分と上記外輪の内周面の一部で上記外輪軌道から外れた部分とに弾性的に当接している事を特徴とする通電式玉軸受。
【発明の詳細な説明】
【０００１】
【発明の属する技術分野】
この発明に係る通電式玉軸受は、例えば自動車用操舵装置に組み込んで、金属製のステアリングシャフトを、金属製のステアリングコラムの内側に回転自在に支持する為に利用する。
【０００２】
【従来の技術】
自動車用操舵装置を構成するステアリングホイール部分には、警音器（ホーン）のスイッチを設ける必要上、電気配線を行なうが、この電気配線は、車体とは絶縁されたコード等を流れる回路と、車体を通じて流れるアース回路とから構成する。一方、上記ステアリングホイールを上端部に支持したステアリングシャフトは、車体に支持されたステアリングコラムの内側に、上下１対の玉軸受を介して、回転自在に支持している。ステアリングシャフトとステアリングコラムとが金属製である場合、上記玉軸受が上記アース回路の一部を構成するが、玉軸受を構成する玉に電流を流すと、この玉の転動面、並びに内外輪の軌道面が電気的に腐食する為、玉軸受の耐久性が損なわれてしまう。
【０００３】
この為従来から、実開昭６３−２８９２１号公報、実開平１−１３９１２３号公報、同４−８８５２５号公報、同６−１４５４７号公報、同６−１４５４８号公報等に記載された様な通電式玉軸受が、自動車用操舵装置等、電気が流れる部分に使用されていた。これら従来から知られている通電式玉軸受は、弾性を有する金属製の線材を、内輪の端部外周面並びに外輪の端部内周面に形成した凹溝に係止したり、或は合成樹脂製の保持器の一部に金属板を、この保持器を射出成形する際にインサートしている。これら従来構造の場合には、上記線材又は金属板が内輪と外輪とを電気的に導通させて、玉に電流が流れる事を防止し、この玉の転動面、並びに内外輪の軌道面が電気的に腐食する事を防止する。
【０００４】
【発明が解決しようとする課題】
上述の様な構造を有する従来の通電式玉軸受の場合、次の様な点を改良する事が望まれている。先ず、金属製の線材を内輪の端部外周面並びに外輪の端部内周面に形成した凹溝に係止する構造の場合、例えば軸受メーカーから自動車用操舵装置を組み立てる自動車メーカーに玉軸受を搬送する際に、この線材が外れる可能性があった。線材が外れた玉軸受を、気付かずにそのまま自動車用操舵装置に組み付けた場合、玉軸受の耐久性が損なわれる。又、線材が内輪と外輪との一方と共に回転し、他方に対して摺動する為、摺動部の滑り速度が速く（摺動部の単位時間当りの滑り量が多く）なり、摺動部の摩耗が進み易い。
【０００５】
これに対して、合成樹脂製の保持器の一部に金属板をインサートする構造の場合には、金属板付の合成樹脂製保持器の製造作業が面倒で、コストが嵩むだけでなく、通電式でない一般の玉軸受との間で保持器を共用できない。この為、通電式玉軸受専用の保持器が必要になり、部品の種類増加により、やはりコストが嵩む原因となる。
本発明の通電式玉軸受は、上述の様な不都合を何れも解消すべく、考えたものである。
【０００６】
【課題を解決するための手段】
本発明の通電式玉軸受は、従来から知られている通電式玉軸受と同様に、外周面に深溝型の内輪軌道を有する内輪と、内周面に深溝型の外輪軌道を有する外輪と、これら内輪軌道と外輪軌道との間に転動自在に設けられた複数の玉と、これら複数の玉を転動自在に保持する、合成樹脂製の保持器と、上記内輪と外輪とを電気的に導通させる通電部材とを備える。
【０００７】
特に、本発明の通電式玉軸受に於いては、上記通電部材は弾性を有する金属製の線材を曲げ形成する事により、中間部を略コ字形に形成すると共に、両端部に、上記内輪及び外輪の軸方向に関して同じ方向に折れ曲がって、更にそれぞれの先端部がこれら内輪及び外輪の円周方向に向けて折れ曲がった、１対の係止部を設けたものであり、上記保持器の一部で円周方向に離れた２個所位置に、この保持器の軸方向端面側に通じる入口部と、この入口部の奥端からこの保持器の円周方向に向け折れ曲がった折れ曲がり部とを備えた断面Ｌ字形で、この保持器の軸方向端面及びこの保持器の内外両周面に開口して、上記通電部材の一部を係脱自在な係止切り欠きを、この保持器の直径方向に亙り形成している。そして、これら両係止切り欠きに上記両係止部を係合した状態で上記通電部材の中間部は、上記内輪の外周面の一部で上記内輪軌道から外れた部分と上記外輪の内周面の一部で上記外輪軌道から外れた部分とに弾性的に当接している。
【０００８】
【作用】
上述の様に構成される本発明の通電式玉軸受の場合、内輪と外輪とは通電部材により電気的に導通されており、外輪と内輪との間で流れる電流の大部分は、電気抵抗の小さな上記通電部材を通る。この為、玉を流れる電流は僅少となり、玉の転動面や内外輪の軌道面に電気的な腐食が生じる事がなくなる。又、上記通電部材は保持器と共に回転するので、この通電部材と内輪及び外輪との摺動部の滑り速度は、これら内輪と外輪との相対速度の半分程度になる。従って、上記摺動部の摩耗を少なく抑えて、通電式玉軸受の性能を安定させると共に耐久性向上を図れる。
【０００９】
又、上記通電部材は、その両端部に形成した１対の係止部を、合成樹脂製の保持器に形成した１対の係止切り欠きに係合させる事により保持器に装着するので、この保持器の製作が面倒になる事がない。又、この保持器は、上記両係止切り欠きに上記通電部材の両端部に設けた１対の係止部を係合させなければ、通電式でない一般の玉軸受用の保持器として利用できる。
【００１０】
【発明の実施の形態】
図１〜２は、本発明に関する参考例の１例を示している。外周面に深溝型の内輪軌道１を有する内輪２と、内周面に深溝型の外輪軌道３を有する外輪４とを同心に配置している。そして、上記内輪軌道１と外輪軌道３との間に複数の玉５、５を、転動自在に設けている。これら複数の玉５、５は、合成樹脂を射出成形する事により一体成形した保持器６により、転動自在に保持している。図示の例では、この保持器６として、冠型の保持器６を使用している。この冠型の保持器６は、円環状の基部７の軸方向片面（図１の裏面、図２の上面）に、部分円筒面状若しくは部分球面状の凹部８、８を形成すると共に、これら各凹部８、８の開口縁部にそれぞれ弾性爪片９、９を設け、これら凹部８、８及び弾性爪片９、９により囲まれる部分をポケット１０、１０としている。上記各玉５、５は、上記各弾性爪片９、９の先端同士の間隔を弾性的に広げた状態で、上記各ポケット１０、１０内に押し込む。そして、押し込んだ状態で上記各玉５、５は上記各ポケット１０、１０内に、転動自在に保持される。
【００１１】
本参考例の通電式玉軸受の場合には、上記保持器６を構成する基部７の軸方向他面（図１の表面、図２の下面）の一部に係止切り欠き１１を形成し、この係止切り欠き１１に、通電部材１２の中間部に形成した係止部１３を係合させている。上記係止切り欠き１１は、上記基部７の直径方向に亙り形成し、上記軸方向他端面の他、上記基部７の内外両周面に開口している。この様な係止切り欠き１１は、円筒面状の奥部１４と、この奥部１４から連続し、上記基部７の軸方向他端面側の開口部分に形成した開口部１５とから成る。この開口部１５は、上記奥部１４の内径Ｒ14よりも小さな幅寸法Ｗ15を有する。
【００１２】
一方、上記通電部材１２は、ステンレスのばね鋼等、弾性を有する金属製の線材を曲げ形成する事により形成したもので、中間部に上記係止部１３を有する。この係止部１３は、上記線材を円形に湾曲させて成る先端部１６と、この先端部から連続する基部１７とを備える。このうちの先端部１６の外径Ｄ16は、上記係止切り欠き１１を構成する開口部１５の幅寸法Ｗ15よりも大きく、奥部１４の内径Ｒ14とほぼ同じ（Ｗ15＜Ｄ16≒Ｒ14）としている。又、上記通電部材１２の両側部分は大きく湾曲させて、導通部１８、１８としている。
【００１３】
上述の様な通電部材１２は、上記各導通部１８、１８を、曲率半径を大きくする方向に弾性変形させつつ、前記内輪２の端部外周面と外輪４の端部内周面との間の環状空間１９内に挿入する。挿入後、上記各導通部１８、１８に付与していた力を解除すれば、これら各導通部１８、１８が、曲率半径を小さくする方向に弾性的に復元する。この結果、これら各導通部１８、１８が、図１に示す様に、上記内輪２の端部外周面で前記内輪軌道１から外れた部分と、上記外輪４の端部内周面で前記外輪軌道３から外れた部分とに弾性的に当接する。
【００１４】
尚、上記保持器６側の係止切り欠き１１と通電部材１２側の係止部１３とを係合させる作業は、上記保持器６を玉軸受に組み込む以前に行なっても、或はこの保持器６を玉軸受に組み込んだ後に行なっても良い。組み込む以前に行なう際には、上記係止部１３を上記係止切り欠き１１に、上記保持器６の外径側開口又は内径側開口から挿入する。そして、通電部材１２を結合した保持器６を、上記環状空間１９内に押し込む。この際、前記各弾性爪片９、９は、弾性変形しつつ、前記各玉５、５が前記各ポケット１０、１０内に進入する事を許容する。又、組み付け後に行なう場合には、上記係止部１３の先端部１６と上記係止切り欠き１１の開口部１５との一方又は双方が弾性変形しつつ、上記先端部１６が開口部１５を通過する事を許容する。そして、通過後は弾性的に復元して、上記係止部１３が上記係止切り欠き１１から抜け出る事を阻止する。尚、保持器６の基部７の内周面と内輪２の端部外周面との間、又はこの基部７の外周面と外輪４の端部内周面との間に、上記係止部１３を挿入できるだけの隙間が存在すれば、上記保持器６を玉軸受に組み込んだ後、上記係止部１３を上記係止切り欠き１１に、上記基部７の内周面側の開口又は外周面側の開口から係合させる事もできる。
【００１５】
上述の様に構成される本参考例の通電式玉軸受の場合、上記内輪２と外輪４とは、通電部材１２を構成する１対の導通部１８、１８により電気的に導通されている。これら各導通部１８、１８と内輪２の端部外周面及び外輪４の端部内周面との間には、グリース等の潤滑剤が存在しないか、仮に存在しても極く僅かである。従って、これら各導通部１８、１８と内輪２の外周面及び外輪４の内周面との当接部の電気抵抗は小さい。これに対して、前記各玉５、５の転動面と前記内輪軌道１及び外輪軌道３との間には、グリース等の潤滑剤の膜が存在する。従って、これら各玉５、５の転動面と前記内輪軌道１及び外輪軌道３との当接部の電気抵抗は比較的大きい。従って、上記外輪４と内輪２との間で流れる電流の大部分は、上記通電部材１２を構成する１対の導通部１８、１８を通る。この為、上記各玉５、５を流れる電流は僅少となり、これら各玉５、５の転動面や、上記内輪軌道１及び外輪軌道３に電気的な腐食が生じる事がなくなる。
【００１６】
又、上記通電部材１２は保持器６と共に回転するので、この通電部材１２を構成する１対の導通部１８、１８と上記内輪２の端部外周面及び外輪４の端部内周面との摺動部の滑り速度（各当接部の単位時間当りの滑り量）は、これら内輪２と外輪４との相対速度の半分程度になる。従って、上記各摺動部の摩耗を少なく抑えて、通電式玉軸受の性能を安定させると共に耐久性向上を図れる。
【００１７】
又、上記通電部材１２は、その中央部に形成した係止部１３を、合成樹脂製の保持器６に形成した係止切り欠き１１に係合させる事により、この保持器６に装着するので、この保持器６の製作が面倒になる事がない。即ち、本参考例の通電式玉軸受を構成する保持器６は、上記係止切り欠き１１を設けた以外、一般的な冠型保持器と同様である。又、この係止切り欠き１１は、合成樹脂を射出成形する事により、前記各ポケット１０、１０を形成するのと同時に形成する事ができる。従って、上記保持器６のコストが嵩む事はない。
【００１８】
更に、この保持器６に設けた上記係止切り欠き１１と、上記通電部材１２に設けた上記係止部１３とを係合させた後は、これら係止切り欠き１１と係止部１３とが不用意に外れる事はない。従って、搬送中に上記通電部材１２が外れる事がなく、通電部材１２が外れた玉軸受を組み込む事でこの玉軸受の耐久性を損なう事がない。更に、上記保持器６は、上記係止切り欠き１１に上記通電部材１２の係止部１３を係合させなければ、通電式でない一般の玉軸受用の保持器として利用できる。従って、通電式でない一般の玉軸受との間で保持器を共用できる。この為、通電式玉軸受専用の保持器が不要になり、部品の種類増加を抑えて、やはり通電式玉軸受のコストが嵩む事を防止できる。
【００１９】
次に、図３〜４は、本発明の実施の形態の１例を示している。本例の場合には、保持器６の軸方向端面である、この保持器６を構成する基部７の軸方向他面（図３の表面、図４の下面）の一部で円周方向に離れた２個所位置に、それぞれ係止切り欠き１１ａ、１１ａを形成している。そして、これら両係止切り欠き１１ａ、１１ａに、通電部材１２ａの両端部に形成した係止部１３ａ、１３ａを係合させている。上記両係止切り欠き１１ａ、１１ａは、上記基部７の直径方向に亙り形成し、上記軸方向他端面の他、上記基部７の内外両周面に開口している。これら各係止切り欠き１１ａ、１１ａは、それぞれ断面Ｌ字形に形成したもので、上記基部７の軸方向他端面側に通じる入口部２０と、この入口部２０の奥端から円周方向に向け直角に折れ曲がった折れ曲がり部２１とから成る。
【００２０】
一方、上記通電部材１２ａは、ステンレスのばね鋼等、弾性を有する金属製の線材を曲げ形成する事により形成したもので、両端部に上記係止部１３ａ、１３ａを形成している。これら両係止部１３ａ、１３ａは、上記線材の両端部を、内輪２及び外輪４の軸方向（図３の表裏方向、図４の上下方向）に関して同じ方向に折り曲げて成る。更に、上記両係止部１３ａ、１３ａの先端部は、それぞれ上記各係止切り欠き１１ａ、１１ａの折れ曲がり部２１と同じ方向に直角に折り曲げて、上記両係止部１３ａ、１３ａをＬ字形に形成している。又、上記通電部材１２ａの中間部は、略コ字形に曲げ形成して成り、両端部に形成した上記両係止部１３ａ、１３ａ同士の距離を近づけ合う方向の弾力を付与している。
【００２１】
上述の様な通電部材１２ａは、上記両係止部１３ａ、１３ａを上記両係止切り欠き１１ａ、１１ａに係止した状態で、上記保持器６と共に、内輪２の端部外周面と外輪４の端部内周面との間の環状空間１９内に挿入する。この挿入作業の間、上記通電部材１２ａに、この通電部材１２ａの中間部２個所位置に設けた湾曲部２２、２２の曲率半径を大きくする方向の力を付与しておく。そして、挿入後にこの力を解除すれば、上記各湾曲部２２、２２が、曲率半径を小さくする方向に弾性的に復元する。この結果、図３に示す様に、これら各湾曲部２２、２２の外周縁が上記外輪の端部内周面で外輪軌道３から外れた部分に、これら各湾曲部２２、２２と上記各係止部１３ａ、１３ａとの間部分の内周縁が上記内輪２の端部外周面に、それぞれ弾性的に当接する。上記係止切り欠き１１ａ、１１ａ及び係止部１３ａ、１３ａの形状が第１例の場合とは異なった事に伴い、これら係止切り欠き１１ａ、１１ａと係止部１３ａ、１３ａとの係合を、保持器６の基部７の外周面側開口又は内周面側開口からしか行なえない以外の構成及び作用は、前述した参考例の場合とほぼ同様である。
【００２２】
【発明の効果】
本発明は、以上に述べた通り構成され作用する為、安価でしかも優れた耐久性及び信頼性を備え、しかも低トルクの通電式玉軸受を実現できる。
【図面の簡単な説明】
【図１】  本発明に関する参考例の１例を示す正面図。
【図２】  この参考例に組み込む保持器及び通電部材のみを取り出して分解し、その一部を図１の上方から見た図。
【図３】  本発明の実施の形態の１例を示す正面図。
【図４】  この実施の形態の１例に組み込む保持器及び通電部材のみを取り出して分解し、その一部を図３のＡ矢視方向から見た図。
【符号の説明】
１  内輪軌道
２  内輪
３  外輪軌道
４  外輪
５  玉
６  保持器
７  基部
８  凹部
９  弾性爪片
１０  ポケット
１１、１１ａ  係止切り欠き
１２、１２ａ  通電部材
１３、１３ａ  係止部
１４  奥部
１５  開口部
１６  先端部
１７  基部
１８  導通部
１９  環状空間
２０  入口部
２１  折れ曲がり部
２２  湾曲部
【図１】
0003903516.tif 000002
【図２】
0003903516.tif 000003
【図３】
0003903516.tif 000004
【図４】
0003903516.tif 000005